(57)【要約】【課題】コンテンツを利用する権利を、人に結び付けて管理すること。【解決手段】ライセンス管理システムと接続されており、移動体通信端末と移動体通信網を介して接続可能であって、  会員情報を保管する機能と、  会員に、セキュリティ機能付記憶媒体を発行する機能と、  会員に発行されたセキュリティ機能付記憶媒体を装着した移動体通信端末から、権利の取得申請を受信すると、この会員の移動体通信端末に、この権利の取得意思確認の情報を送信する機能と、  この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する機能とを有することを特徴とする権利管理システム。【選択図】なし【特許請求の範囲】
【請求項１】
ライセンス管理システムと接続されており、移動体通信端末と移動体通信網を介して接続可能であって、
会員情報を保管する機能と、
会員に、セキュリティ機能付記憶媒体を発行する機能と、
会員に発行されたセキュリティ機能付記憶媒体を装着した移動体通信端末から、権利の取得申請を受信すると、この会員の移動体通信端末に、この権利の取得意思確認の情報を送信する機能と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する機能とを有することを特徴とする権利管理システム。
【請求項２】
取得申請及び取得依頼された権利の代金を、取得依頼を送信した会員の移動体通信端末の通信料金に加算する形で課金処理を行う機能を有することを特徴とする請求項１に記載の権利管理システム。
【請求項３】
ライセンス管理システムと接続されており、移動体通信端末と移動体通信網を介して接続可能であるシステムが実行する方法であって、
会員情報を保管する工程と、
会員に、セキュリティ機能付記憶媒体を発行する工程と、
会員に発行されたセキュリティ機能付記憶媒体を装着した移動体通信端末から、権利の取得申請を受信すると、この会員の移動体通信端末に、この権利の取得意思確認の情報を送信する工程と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する工程とを含むことを特徴とする権利管理方法。
【請求項４】
取得申請及び取得依頼された権利の代金を、取得依頼を送信した会員の移動体通信端末の通信料金に加算する形で課金処理を行う工程を含むことを特徴とする請求項３に記載の権利管理方法。
【請求項５】
ライセンス管理システムと接続されており、移動体通信端末と移動体通信網を介して接続可能であるシステムに、
会員情報を保管する工程と、
会員に、セキュリティ機能付記憶媒体を発行する工程と、
会員に発行されたセキュリティ機能付記憶媒体を装着した移動体通信端末から、権利の取得申請を受信すると、この会員の移動体通信端末に、この権利の取得意思確認の情報を送信する工程と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する工程とを実行させることを特徴とする権利管理プログラム。
【請求項６】
取得申請及び取得依頼された権利の代金を、取得依頼を送信した会員の移動体通信端末の通信料金に加算する形で課金処理を行う工程を実行させることを特徴とする請求項５に記載の権利管理プログラム。
【請求項７】
請求項５又は６に記載の権利管理プログラムを記録した記録媒体。
【請求項８】
セキュリティ保護領域を有し、会員に発行され、利用端末と、移動体通信端末とに、それぞれ着脱可能なセキュリティ機能付記憶媒体であって、
利用端末が、コンテンツを利用端末に格納すると、このコンテンツを、この利用端末で利用する権利の未獲得を示す権利未獲得情報を、セキュリティ保護領域に追記することと、
移動体通信端末が、権利管理システムに対して、セキュリティ保護領域に記憶されている権利未獲得情報が示す未獲得の権利の取得申請を、この移動体通信端末にセキュリティ機能付記憶媒体を装着した者に行わせることと、
移動体通信端末が、権利管理システムから、取得申請された権利を証明する権限情報を受信すると、この権限情報をセキュリティ保護領域に追記すると同時に、この権限情報が証明する権利の未獲得を示す権利未獲得情報をセキュリティ保護領域から削除することと、
利用端末が、利用端末に格納しているコンテンツを、この利用端末で利用する権利を証明する権限情報が、セキュリティ保護領域に記憶されている場合、このコンテンツを、この利用端末で利用可能にすることとに使用されることを特徴とするセキュリティ機能付記憶媒体。
【請求項９】
セキュリティ保護領域を有し、会員に発行され、利用端末と、移動体通信端末とに、それぞれ着脱可能なセキュリティ機能付記憶媒体の使用方法であって、
利用端末が、コンテンツを利用端末に格納すると、このコンテンツを、この利用端末で利用する権利の未獲得を示す権利未獲得情報を、セキュリティ保護領域に追記する工程と、
移動体通信端末が、権利管理システムに対して、セキュリティ保護領域に記憶されている権利未獲得情報が示す未獲得の権利の取得申請を、この移動体通信端末にセキュリティ機能付記憶媒体を装着した者に行わせる工程と、
移動体通信端末が、権利管理システムから、取得申請された権利を証明する権限情報を受信すると、この権限情報をセキュリティ保護領域に追記すると同時に、この権限情報が証明する権利の未獲得を示す権利未獲得情報をセキュリティ保護領域から削除する工程と、
利用端末が、利用端末に格納しているコンテンツを、この利用端末で利用する権利を証明する権限情報が、セキュリティ保護領域に記憶されている場合、このコンテンツを、この利用端末で利用可能にする工程とを含むことを特徴とするセキュリティ機能付記憶媒体の使用方法。
【発明の詳細な説明】
【技術分野】
【０００１】
本発明は、デジタル著作権管理の技術に関する。
【背景技術】
【０００２】
既存のデジタル著作権管理の仕組みでは、コンテンツ再生の鍵情報は、認証の取れた機器間で、やり取りされる（例えば、特許文献１参照）。この仕組みでは、コンテンツの再生等のコンテンツを利用する権利は、認証の取れた機器に結び付けられることになり、認証の取れた機器の貸与や紛失があった場合に、所有者以外の人間によって、所有者の関与しないところで権利の行使、著作権の侵害が発生するケースがあり問題である。
【０００３】
尚、本願でコンテンツと云えば、デジタルコンテンツのことを意味するものとする。
【特許文献１】特開２００２−３１４５３３号公報
【発明の開示】
【発明が解決しようとする課題】
【０００４】
本発明は斯かる背景技術に鑑みてなされたもので、コンテンツを利用する権利を、人に結び付けて管理することを課題とする。
【課題を解決するための手段】
【０００５】
本発明において上記課題を達成するために、まず請求項１の発明では、ライセンス管理システムと接続されており、移動体通信端末と移動体通信網を介して接続可能であって、
会員情報を保管する機能と、
会員に、セキュリティ機能付記憶媒体を発行する機能と、
会員に発行されたセキュリティ機能付記憶媒体を装着した移動体通信端末から、権利の取得申請を受信すると、この会員の移動体通信端末に、この権利の取得意思確認の情報を送信する機能と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する機能とを有することを特徴とする権利管理システムとしたものである。
【０００６】
また請求項２の発明では、取得申請及び取得依頼された権利の代金を、取得依頼を送信した会員の移動体通信端末の通信料金に加算する形で課金処理を行う機能を有することを特徴とする請求項１に記載の権利管理システムとしたものである。
【０００７】
また請求項３の発明では、ライセンス管理システムと接続されており、移動体通信端末と移動体通信網を介して接続可能であるシステムが実行する方法であって、
会員情報を保管する工程と、
会員に、セキュリティ機能付記憶媒体を発行する工程と、
会員に発行されたセキュリティ機能付記憶媒体を装着した移動体通信端末から、権利の取得申請を受信すると、この会員の移動体通信端末に、この権利の取得意思確認の情報を送信する工程と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する工程とを含むことを特徴とする権利
管理方法としたものである。
【０００８】
また請求項４の発明では、取得申請及び取得依頼された権利の代金を、取得依頼を送信した会員の移動体通信端末の通信料金に加算する形で課金処理を行う工程を含むことを特徴とする請求項３に記載の権利管理方法としたものである。
【０００９】
また請求項５の発明では、ライセンス管理システムと接続されており、移動体通信端末と移動体通信網を介して接続可能であるシステムに、
会員情報を保管する工程と、
会員に、セキュリティ機能付記憶媒体を発行する工程と、
会員に発行されたセキュリティ機能付記憶媒体を装着した移動体通信端末から、権利の取得申請を受信すると、この会員の移動体通信端末に、この権利の取得意思確認の情報を送信する工程と、
この会員の移動体通信端末から、この権利の取得依頼を受信した場合、ライセンス管理システムから、この権利を証明する権限情報を取得して、この権限情報を、セキュリティ機能付記憶媒体を装着した移動体通信端末に送信する工程とを実行させることを特徴とする権利管理プログラムとしたものである。
【００１０】
また請求項６の発明では、取得申請及び取得依頼された権利の代金を、取得依頼を送信した会員の移動体通信端末の通信料金に加算する形で課金処理を行う工程を実行させることを特徴とする請求項５に記載の権利管理プログラムとしたものである。
【００１１】
また請求項７の発明では、請求項５又は６に記載の権利管理プログラムを記録した記録媒体としたものである。
【００１２】
また請求項８の発明では、セキュリティ保護領域を有し、会員に発行され、利用端末と、移動体通信端末とに、それぞれ着脱可能なセキュリティ機能付記憶媒体であって、
利用端末が、コンテンツを利用端末に格納すると、このコンテンツを、この利用端末で利用する権利の未獲得を示す権利未獲得情報を、セキュリティ保護領域に追記することと、
移動体通信端末が、権利管理システムに対して、セキュリティ保護領域に記憶されている権利未獲得情報が示す未獲得の権利の取得申請を、この移動体通信端末にセキュリティ機能付記憶媒体を装着した者に行わせることと、
移動体通信端末が、権利管理システムから、取得申請された権利を証明する権限情報を受信すると、この権限情報をセキュリティ保護領域に追記すると同時に、この権限情報が証明する権利の未獲得を示す権利未獲得情報をセキュリティ保護領域から削除することと、
利用端末が、利用端末に格納しているコンテンツを、この利用端末で利用する権利を証明する権限情報が、セキュリティ保護領域に記憶されている場合、このコンテンツを、この利用端末で利用可能にすることとに使用されることを特徴とするセキュリティ機能付記憶媒体としたものである。
【００１３】
また請求項９の発明では、セキュリティ保護領域を有し、会員に発行され、利用端末と、移動体通信端末とに、それぞれ着脱可能なセキュリティ機能付記憶媒体の使用方法であって、
利用端末が、コンテンツを利用端末に格納すると、このコンテンツを、この利用端末で利用する権利の未獲得を示す権利未獲得情報を、セキュリティ保護領域に追記する工程と、
移動体通信端末が、権利管理システムに対して、セキュリティ保護領域に記憶されている権利未獲得情報が示す未獲得の権利の取得申請を、この移動体通信端末にセキュリティ
機能付記憶媒体を装着した者に行わせる工程と、
移動体通信端末が、権利管理システムから、取得申請された権利を証明する権限情報を受信すると、この権限情報をセキュリティ保護領域に追記すると同時に、この権限情報が証明する権利の未獲得を示す権利未獲得情報をセキュリティ保護領域から削除する工程と、
利用端末が、利用端末に格納しているコンテンツを、この利用端末で利用する権利を証明する権限情報が、セキュリティ保護領域に記憶されている場合、このコンテンツを、この利用端末で利用可能にする工程とを含むことを特徴とするセキュリティ機能付記憶媒体の使用方法としたものである。
【発明の効果】
【００１４】
請求項１、３、及び５の発明、並びに請求項７で請求項５を引用する発明は、移動体通信端末は、携帯電話機のように、唯一人の人によって独占的かつ排他的に使用され、この人と一緒に移動可能な端末であるので、権利の取得を、会員に結び付けて管理することができるという効果がある。従って、コンテンツを利用する権利を、人に結び付けて管理することが可能になる。
【００１５】
請求項２、４、及び６の発明、並びに請求項７で請求項６を引用する発明は、権利取得の代金を、取得依頼を送信した会員の移動体通信端末の通信料金に加算して、この会員に請求できるという効果がある。
【００１６】
請求項８及び９の発明は、会員が、この会員に発行されたセキュリティ機能付記憶媒体貸出すことで、権利の委譲や権利貸与が実現できるという効果がある。
【発明を実施するための最良の形態】
【００１７】
以下に、本発明の最良の一実施形態を説明する。
【００１８】
１．権利管理サービスシステムの構成
本発明の権利管理システムと、本発明のセキュリティ機能付記憶媒体とは、図１に示すように、ライセンス管理システムと、権利管理システムと、移動体通信端末と、利用端末と共に、権利管理サービスシステムを構成する。ライセンス管理システムと、権利管理システムとは接続されている。権利管理システムと、移動体通信端末とは、移動体通信網を介して、接続可能である。移動体通信網は、移動体通信端末と、権利管理システムとの間のデータ通信を、専用線接続、またはＳＳＬ（Ｓｅｃｕｒｅ  Ｓｏｃｋｅｔｓ  Ｌａｙｅｒ）などの安全な通信路で行えるものである。移動体通信端末と、利用端末とは、それぞれ、セキュリティ機能付記憶媒体を着脱可能である。
【００１９】
利用端末は、コンテンツを取得して、コンテンツの再生など、コンテンツを利用するための端末である。各々の利用端末は、各々に固有の識別子を有している。
【００２０】
セキュリティ機能付記憶媒体は、セキュリティ保護領域を有する記憶媒体である。セキュリティ保護領域は、記憶媒体の中で、耐タンパ性を有する記憶領域である。耐タンパ性を有する記憶領域は、記憶しているデータを、勝手に改竄したり、許可なく変更することが、不可能であるか、或は、著しく困難なものであって、安全に保護されている記憶領域である。セキュリティ機能付記憶媒体は、自由に読書き可能な通常領域も有しても良い。セキュリティ機能付記憶媒体の例としては、ＩＣカード、著作権保護機能付メモリカードなど、耐タンパ性を有する記憶媒体が挙げられる。
【００２１】
移動体通信端末は、唯一人の人によって独占的かつ排他的に使用され、この人と一緒に移動可能な端末である。移動体通信端末は、携帯電話機であっても良い。移動体通信端末
が携帯電話機の場合、移動体通信網は、携帯電話網である。また、各々の移動体通信端末は、携帯電話機の電話番号のように、移動体通信網の中で、各々の移動体通信端末を識別して、各々の移動体通信端末に接続するための固有番号を有している。
【００２２】
ライセンス管理システムは、各コンテンツプロバイダーが採用しているデジタル著作権管理の仕組みでもって、特定のコンテンツを特定の利用端末で利用する権利を証明する権限情報（ライセンス）を管理するシステムである。権限情報には、例えば、コンテンツを再生するのに必須な再生鍵が含まれる。
【００２３】
権利管理システムは、会員ＩＤを含む会員情報を保管し、各々の会員に、各々の会員の会員ＩＤをセキュリティ保護領域に記憶するセキュリティ機能付記憶媒体を、各々一つだけ発行する。
【００２４】
発行されたセキュリティ機能付記憶媒体装着した利用端末は、コンテンツを格納すると、このコンテンツを、この利用端末で利用する権利の未獲得を示す権利未獲得情報を、このセキュリティ機能付記憶媒体のセキュリティ保護領域に追記する。
【００２５】
また発行されたセキュリティ機能付記憶媒体装着した利用端末は、格納しているコンテンツを、この利用端末で利用する権利を証明する権限情報が、このセキュリティ機能付記憶媒体のセキュリティ保護領域に記憶されている場合、このコンテンツを、この利用端末で利用可能にする。
【００２６】
また権利管理システムは、セキュリティ機能付記憶媒体を装着した移動体通信端末から、特定のコンテンツを特定の利用端末で利用する権利の取得申請を受信すると、このセキュリティ機能付記憶媒体のセキュリティ保護領域に記憶されている会員ＩＤを持つ会員の移動体通信端末に、この権利の取得意思確認の情報を送信する。そして、会員の移動体通信端末から、この権利の取得依頼を受信した場合、ライセンス管理システムから、この権利を証明する権限情報を取得して、この権限情報を、このセキュリティ機能付記憶媒体を装着した移動体通信端末に送信する。
【００２７】
会員の移動体通信端末は、権利の取得意思確認の情報を受信すると、この会員に、権利の取得意思確認を行わせて、この会員に、この権利の取得意思がある場合に、この権利の取得依頼を権利管理システムに送信する。
【００２８】
発行されたセキュリティ機能付記憶媒体を装着した移動体通信端末は、権利管理システムに対して、このセキュリティ機能付記憶媒体のセキュリティ保護領域に記憶されている権利未獲得情報が、未獲得であることを示す権利の取得申請を、セキュリティ機能付記憶媒体を装着した者に行わせる。そして、取得申請した権利を証明する権限情報を、権利管理システムから受けると、このセキュリティ機能付記憶媒体のセキュリティ保護領域に、この権限情報を追記すると同時に、このセキュリティ機能付記憶媒体のセキュリティ保護領域から、この権限情報が証明する権利の未獲得を示す権利未獲得情報を削除する。
【００２９】
セキュリティ機能付記憶媒体を装着した移動体通信端末は、会員の移動体通信端末であっても良いし、会員の移動体通信端末でなくても良い。例えば、セキュリティ機能付記憶媒体を装着した移動体通信端末は、会員からセキュリティ機能付記憶媒体を借りた人のものであっても良い。
【００３０】
また権利管理システムは、取得申請及び取得依頼された権利の代金を、取得依頼した会員の移動体通信端末の通信料金に加算する形で課金処理を行う。
【００３１】
以下、権利管理サービスシステムを、さらに詳細に説明する。
【００３２】
２．会員情報の保管
権利管理システムは、会員情報の登録、更新、削除などの保管を行う。会員情報は、個々の会員に関する情報であって、個々の会員に固有の会員ＩＤ（ｉｄｅｎｔｉｆｉｃａｔｉｏｎ）、個々の会員の個人情報（住所、氏名など）と、個々の会員が所持する移動体通信端末の固有番号とを含む（図２参照）。会員ＩＤは、会員登録する際に、権利管理システムが発行するものである。また、会員の個人情報と、会員が所持する移動体通信端末の固有番号とは、入会を希望する人が、登録申請情報として提供するものである。
【００３３】
会員登録は、入会を希望する人が、登録申請情報を、権利管理システムの運営会社に送り、運営会社の方で、この登録申請情報を、権利管理システムに入力し、この登録申請情報に基づいて、権利管理システムが会員登録をしても良いし、或は、入会を希望する人が、この人の移動体通信端末で、登録申請情報を権利管理システムに送信し、この登録申請情報に基づいて、権利管理システムが会員登録をしても良い。
【００３４】
３．セキュリティ機能付記憶媒体の発行
権利管理システムは、会員情報を登録する際に、会員ＩＤを、セキュリティ機能付記憶媒体のセキュリティ保護領域に書き込んで、この会員ＩＤをセキュリティ保護領域に記憶しているセキュリティ機能付記憶媒体を、この会員ＩＤを持つ会員に発行する。
【００３５】
図３に示すように、セキュリティ機能付記憶媒体は、発行直後、セキュリティ保護領域には、会員ＩＤのみが記憶されている。
【００３６】
発行のために用いるセキュリティ機能付記憶媒体は、権利管理システムの運営会社が用意したものであっても良いし、入会を希望する人が用意したものであっても良い。
【００３７】
発行のために用いるセキュリティ機能付記憶媒体を、入会を希望する人が用意する場合、この人が、この人の移動体通信端末で、登録申請情報を権利管理システムに送信し、この登録申請情報に基づいて、権利管理システムが会員登録を行うに際して、権利管理システムは、この人に、この人の移動体通信端末に、この人の用意したセキュリティ機能付記憶媒体を装着させ、このセキュリティ機能付記憶媒体のセキュリティ保護領域に、この人の会員ＩＤを書き込むようにしても良い。
【００３８】
４．コンテンツの取得
コンテンツプロバイダーは、コンテンツと、このコンテンツのコンテンツ情報とを含む配布コンテンツを、サーバからインターネットなどのネットワークを介して、或は、ＣＤ−ＲＯＭやメモリカードなどの記録媒体に記録して供給する。コンテンツ情報は、コンテンツ属性情報と、デジタル著作権管理情報とを含む。コンテンツ属性情報は、コンテンツの属性に関する情報であって、例えば、コンテンツＩＤ（ｉｄｅｎｔｉｆｉｃａｔｉｏｎ）、タイトル、販売のための付随情報などがある。デジタル著作権管理情報は、コンテンツプロバイダーが採用しているデジタル著作権管理に関する情報であって、例えば、権利ルール、使用期限、コンテンツを利用できる利用端末の数の上限、権利の価格などがあるが、採用しているデジタル著作権管理により可変である。
【００３９】
会員は、自分の利用端末で、配布コンテンツを取得することができる。会員以外の一般の者であっても、自分の利用端末で配布コンテンツを取得できる。
【００４０】
以下に、コンテンツの取得に関する処理の流れの例を、図４のフローチャートに従って説明する。
【００４１】
Ｓ（ＳＴＥＰ）１；
利用端末は、ネットワークを介してコンテンツプロバイダーのサーバから、或は、コンテンツプロバイダーが供給した記録媒体から、配布コンテンツを受け取り、この配布コンテンツを利用端末に格納する。
【００４２】
Ｓ（ＳＴＥＰ）２；
利用端末は、コンテンツ端末にセキュリティ機能付記憶媒体が装着されているか否かを確かめ、
装着されていれば、ＳＴＥＰ３に進み、
他方、装着されていなければ、ＥＮＤに進む。
【００４３】
Ｓ（ＳＴＥＰ）３；
利用端末は、格納した配布コンテンツのコンテンツ情報が、セキュリティ機能付記憶媒体のセキュリティ保護領域に存在するか否かを確かめ、
存在していれば、ＳＴＥＰ４に進み、
存在していなければ、ＳＴＥＰ５に進む。
【００４４】
Ｓ（ＳＴＥＰ）４；
利用端末は、格納した配布コンテンツのコンテンツ情報のデジタル著作権管理情報に、このコンテンツを、この利用端末で利用する権利を証明する権限情報が存在するか否かを確かめ、
存在していれば、ＥＮＤに進み、
存在していなければ、ＳＴＥＰ６に進む。
【００４５】
Ｓ（ＳＴＥＰ）５；
利用端末は、格納した配布コンテンツのコンテンツ情報を、セキュリティ機能付記憶媒体のセキュリティ保護領域に追記する。
【００４６】
Ｓ（ＳＴＥＰ）６；
利用端末は、セキュリティ機能付記憶媒体のセキュリティ保護領域に存在するコンテンツ情報のデジタル著作権管理情報に、このコンテンツを、この利用端末で利用する権利の未獲得を示す権利未獲得情報を追記する。
【００４７】
Ｓ（ＳＴＥＰ）７；
利用端末は、格納した配布コンテンツについて、このコンテンツを、この利用端末で利用する権利を取得するように催促する文を、表示する。
【００４８】
図５に、図３のセキュリティ記憶媒体を、利用端末ＡＢＣに装着して、配布コンテンツを取得した直後の、このセキュリティ機能付記憶媒体の記憶情報の例を示す。図５の例では、コンテンツβββを利用端末ＡＢＣで読書する権利の未獲得を示す権利未獲得情報が、デジタル著作権管理情報に含まれている。
【００４９】
５．コンテンツの利用
配布コンテンツを格納している利用端末に、このコンテンツを、この利用端末で利用する権利を証明する権限情報を、コンテンツ情報のデジタル著作権管理情報として、セキュリティ保護領域に記憶しているセキュリティ機能付記憶媒体を装着すると、この権限の範囲内で、このコンテンツを、この利用端末で利用できる。会員は、自分の利用端末でコンテンツを利用できる。会員以外の者であっても、例えば、セキュリティ機能付記憶媒体を会員から借りた人は、この権限の範囲内で、自分の利用端末でコンテンツを利用できる。
【００５０】
以下、セキュリティ機能付記憶媒体が利用端末に装着されているとき、コンテンツの利用に関する処理の例を、図６のフローチャートに従って説明する。
【００５１】
Ｓ（ＳＴＥＰ）１；
利用端末は、この利用端末に格納されている配布コンテンツのコンテンツ情報を読み取って、この利用端末に格納されているコンテンツのリストを表示する。
【００５２】
Ｓ（ＳＴＥＰ）２；
利用端末にて、利用者は、コンテンツリストの中から、利用したいコンテンツを選択する。
【００５３】
Ｓ（ＳＴＥＰ）３；
利用端末は、選択されたコンテンツのコンテンツ情報が、この利用端末に装着されているセキュリティ機能付記憶媒体のセキュリティ保護領域に存在するか否かを確かめ、
存在しないならば、ＳＴＥＰ４に進み、
存在するならば、ＳＴＥＰ７に進む。
【００５４】
Ｓ（ＳＴＥＰ）４；
利用端末は、選択されたコンテンツのコンテンツ情報を、この利用端末に格納されている配布コンテンツのコンテンツ情報から取得して、この利用端末に装着されているセキュリティ機能付記憶媒体のセキュリティ保護領域に追記する。
【００５５】
Ｓ（ＳＴＥＰ）５；
利用端末は、セキュリティ機能付記憶媒体のセキュリティ保護領域に存在するコンテンツ情報のデジタル著作権管理情報に、選択されたコンテンツを、この利用端末で利用する権利の未獲得を示す権利未獲得情報を追記する。
【００５６】
Ｓ（ＳＴＥＰ）６；
利用端末は、選択されたコンテンツを、この利用端末で利用する権利の取得を催促する文を表示し、ＥＮＤに進む。
【００５７】
Ｓ（ＳＴＥＰ）７；
利用端末は、選択されたコンテンツを、この利用端末で利用する権利を証明する権限情報が、このコンテンツのコンテンツ情報（セキュリティ機能付記憶媒体のセキュリティ保護領域に記憶されているもの）のデジタル著作権管理情報に存在する否かを確かめ、
存在していなければ、ＳＴＥＰ８に進む。
【００５８】
存在していれば、ＳＴＥＰ９に進み、
Ｓ（ＳＴＥＰ）８；
利用端末は、選択されたコンテンツを、この利用端末で利用する権利の未獲得を示す権利未獲得情報が、このコンテンツのコンテンツ情報（セキュリティ機能付記憶媒体のセキュリティ保護領域に記憶されているもの）のデジタル著作権管理情報に存在する否かを確かめ、
存在していなければ、ＳＴＥＰ５に戻る。
【００５９】
存在していれば、ＥＮＤに進み、
Ｓ（ＳＴＥＰ）９；
人が、権限の範囲内でコンテンツを利用する。
【００６０】
６．権利取得
セキュリティ機能付記憶媒体のセキュリティ保護領域に、デジタル著作権管理情報に権利未獲得情報が存在するコンテンツ情報が記憶されている場合、このセキュリティ機能付記憶媒体を、移動体通信端末に装着すると、装着した者が、申請者として、この権利の取得を申請できる。会員は、自分の移動体通信端末で権利取得申請ができる。会員以外の者であっても、例えば、セキュリティ機能付記憶媒体を会員から借りた人は、自分の移動体通信端末で権利取得申請ができる。
【００６１】
以下に、権利取得に関する処理の例を、図７のフローチャートに従って説明する。尚、以下の説明で、権利取得申請者が、会員である場合、申請者の移動体通信端末は、会員の移動体通信端末と同じである。
【００６２】
Ｓ（ＳＴＥＰ）１；
申請者の移動体通信端末は、セキュリティ機能付記憶媒体のセキュリティ保護領域に記憶されている、コンテンツ情報のデジタル著作権管理情報の権利未獲得情報を読み取って、未取得の権利のリストを表示する。
【００６３】
図８に、未取得権利リストを表示した画面の例を示す。図８の例では、コンテンツαααを利用端末ＡＢＣで利用する権利、コンテンツβββを利用端末ＡＢＣで利用する権利、コンテンツβββを利用端末ＡＢＣで利用する権利、コンテンツγγγを利用端末ＥＦＧで利用する権利、等々が、それぞれ未獲得であることを示している。
【００６４】
Ｓ（ＳＴＥＰ）２；
申請者の移動体通信端末にて、申請者は、未取得権利リストから、取得したい権利を選択して、権利取得申請を行う。すると、申請者の移動体通信端末は、選択された権利の取得を申請する権利取得申請を、権利管理システムに送信する。
【００６５】
この権利取得申請には、会員ＩＤと、コンテンツ情報と、申請者の移動体通信端末の固有番号とが含まれる。ここで、会員ＩＤは、申請者の移動体通信端末に装着されているセキュリティ機能付記憶媒体のセキュリティ記憶領域から取得したものである。また、コンテンツ情報は、申請者の移動体通信端末に装着されているセキュリティ機能付記憶媒体のセキュリティ記憶領域に記憶されているコンテンツ情報の中で、申請対象の権利の未獲得を示す権利未獲得情報をデジタル著作権管理情報に含むものであって、含まれる権利未獲得情報が複数存在する場合には、申請対象の権利の未獲得を示す権利未獲得情報以外を削除したものである。この結果、権利取得申請に含まれるコンテンツ情報のデジタル著作権管理情報には、権利未獲得情報としては、申請対象の権利の未獲得を示す権利未獲得情報のみが含まれることになり、このコンテンツ情報のデジタル著作権管理情報に含まれる権利未獲得情報が、申請の対象となっている権利を示すことになる。
【００６６】
図９に、選択された権利の取得申請をするための画面の例を示す。図９の例では、図８の画面で２番目の権利が選択されたことを示し、申請者は、ＯＫボタンを押して、選択された権利の取得を申請する。
【００６７】
Ｓ（ＳＴＥＰ）３；
権利管理システムは、権利取得申請を受信して、権利取得申請毎にユニークな権利取得申請ＩＤ（ｉｄｅｎｔｉｆｉｃａｔｉｏｎ）を発行し、権利取得申請に含まれている、会員ＩＤと、コンテンツ情報（権利未獲得情報としては申請対象の権利の未獲得を示すもののみが含まれる）と、申請者の移動体通信端末の固有番号と共に、権利取得申請情報（図１０参照）として、権利管理システムに保管する。
【００６８】
Ｓ（ＳＴＥＰ）４；
権利管理システムは、権利管理システムに保管している会員情報から、権利取得申請情報に含まれる会員ＩＤを持つものが検索できるか否かで、この会員ＩＤが有効である否かを判断する。
【００６９】
検索できなければ、この会員ＩＤが無効であると判断し、ＳＴＥＰ５に進む。
【００７０】
検索できれば、この会員ＩＤが有効であると判断し、ＳＴＥＰ７に進む。
【００７１】
Ｓ（ＳＴＥＰ）５；
権利管理システムは、権利取得申請情報に含まれる申請者の移動体通信端末の固有番号を元に、申請者の移動体通信端末に、会員ＩＤが不良である旨を送信する。
【００７２】
Ｓ（ＳＴＥＰ）６；
申請者の移動体通信端末は、会員ＩＤが不良である旨を受信して、申請者に、会員ＩＤの不良を通知する。そしてＥＮＤに進む。
【００７３】
Ｓ（ＳＴＥＰ）７；
権利管理システムは、権利取得申請情報に含まれる会員ＩＤを元に、会員情報の中から、この会員ＩＤを持つ会員の移動体通信端末の固有番号を取得し、この固有番号を元に、権利取得申請の内容に対する権利取得意思確認の情報を、この会員の移動体通信端末に送信する。権利取得意思確認の情報には、権利取得申請の内容を表す情報として、権利取得申請情報が含まれる。
【００７４】
Ｓ（ＳＴＥＰ）８；
会員の移動体通信端末は、権利取得意思確認の情報を受信して、会員に対して、権利取得申請内容を表示して、権利取得の意思確認を行う。
【００７５】
図１１に、会員に対して権利取得の確認を行うための画面遷移例を示す。図１１の例では、会員の移動体通信端末は、権利取得意思確認の情報を受信すると、まず、図１１の（Ａ）の画面で、権利取得申請がされたことを表示する。
【００７６】
図１１の（Ａ）の画面で、ＯＫボタンが押されると、会員の移動体通信端末は、図１１の（Ｂ）の画面で、権利取得申請の内容を表示する。権利取得申請の内容として表示されているコンテンツを利用できる利用端末の数に上限がある場合、会員の移動体通信端末は、図１１の（Ｂ）の画面で、あと端末分の権利が取得可能かなのかも表示しても良い。また図１１の（Ｂ）の画面で、権利の取得が無料であるか、有料であるか、有料であるならば、その代金を表示しても良い。
【００７７】
図１１の（Ｂ）の画面で、ＯＫボタンが押されると、会員の移動体通信端末は、図１１の（Ｃ）の画面で、会員に対して、権利取得の意思確認を行う。会員は、権利取得を行う意思を示す場合には、図１１の（Ｃ）の画面で、ＯＫボタンを押し、他方、権利取得を取り止める意思を示す場合には、ＮＧボタンを押す。
【００７８】
Ｓ（ＳＴＥＰ）９；
会員が権利取得を取り止める意思を示したならば、ＳＴＥＰ１０に進み、
他方、会員が権利取得を行う意思を示したならば、ＳＴＥＰ１３に進む。
【００７９】
Ｓ（ＳＴＥＰ）１０；
会員の移動体通信端末は、権利取得取止依頼を、権利管理システムに送信する。
【００８０】
図１２に、権利取得取止依頼に含まれる情報の例を示す。
【００８１】
Ｓ（ＳＴＥＰ）１１；
権利管理システムは、権利取得取止依頼を受信して、権利取得取止依頼に含まれる権利取得申請ＩＤを元にして、権利取得申請情報から申請者の移動体通信端末の固有番号を得て、この固有番号を元に、申請者の移動体通信端末に、権利取得申請が却下された旨を送信する。
【００８２】
Ｓ（ＳＴＥＰ）１２；
申請者の移動体通信端末は、権利取得申請が却下された旨を受信して、申請者に、権利取得申請の却下を通知する。そしてＥＮＤに進む。
【００８３】
Ｓ（ＳＴＥＰ）１３；
会員の移動体通信端末は、権利取得依頼を、権利管理システムに送信する。
【００８４】
図１３に権利取得依頼に含まれる情報の例を示す。
【００８５】
Ｓ（ＳＴＥＰ）１４；
権利管理システムは、権利取得依頼を受信して、権利取得取止依頼に含まれる権利取得申請ＩＤを元にして、権利取得申請情報を特定し、この権利取得申請情報から、コンテンツ情報の中のデジタル著作権管理情報を読み取って、このデジタル著作権管理の仕組みを知る。
【００８６】
Ｓ（ＳＴＥＰ）１５；
権利管理システムは、デジタル著作権管理の仕組み基づいて、取得申請及び取得依頼された権利が有料であるか否かを判断する。
【００８７】
有料であれば、ＳＴＥＰ１６に進み、
無料であれば、ＳＴＥＰ１８に進む。
【００８８】
Ｓ（ＳＴＥＰ）１６；
権利管理システムは、権利取得申請情報に含まれる会員ＩＤを元に、会員情報から、この会員ＩＤを持つ会員の移動体通信端末の固有番号を取得し、この固有番号を元に、この会員の移動体通信端末に、取得申請及び取得依頼された権利の代金を移動体通信端末の通信料金に加算して請求する旨を送信する。
【００８９】
Ｓ（ＳＴＥＰ）１７；
会員の移動体通信端末は、取得申請及び取得依頼された権利の代金を移動体通信端末の通信料金に加算して請求する旨を受信し、会員に対して、取得申請及び取得依頼された権利の代金を移動体通信端末の通信料金に加算して請求する旨を通知する。
【００９０】
Ｓ（ＳＴＥＰ）１８；
権利管理システムは、取得申請及び取得依頼された権利の代金を、取得依頼した会員の移動体通信端末の通信料金に加算する形で課金処理を行う。
【００９１】
例えば、権利管理システムは、ネットワークを介して、移動体通信業者の通信料金請求システムに、取得申請及び取得依頼された権利の代金を、取得依頼した会員の移動体通信端末による通信料金に加算して請求するよう依頼する。
【００９２】
Ｓ（ＳＴＥＰ）１９；
権利管理システムは、デジタル著作権管理の仕組みに従って、ライセンス管理システムから、取得申請及び取得依頼された権利を証明する権限情報を取得して、この権限情報を、申請者の移動体通信端末に送信する。この権限情報には、例えば、コンテンツを利用端末で再生するのに必須な再生鍵などの情報が含まれる。
【００９３】
Ｓ（ＳＴＥＰ）２０；
申請者の移動体通信端末は、取得申請及び取得依頼された権利を証明する権限情報を受信して、この権限情報を、この移動体通信端末に装着されているセキュリティ機能付記憶媒体のセキュリティ保護領域で、この権利が未獲得であることを示す権利未獲得情報を含むコンテンツ情報のデジタル著作権管理情報に追記すると同時に、このコンテンツ情報のデジタル著作権管理情報から、この権利未獲得情報を削除する。そしてＥＮＤに進む。
【００９４】
図１４に、図５のセキュリティ機能付記憶媒体について、コンテンツβββを利用端末ＡＢＣで読書する権利を取得した後の様子を示す。
【図面の簡単な説明】
【００９５】
【図１】権利管理サービスシステムの構成を示す図。
【図２】会員情報を説明する図。
【図３】セキュリティ機能付記憶媒体の発行直後の記憶情報を示す図。
【図４】コンテンツの取得に関する処理の流れの例を示すフローチャート。
【図５】図３のセキュリティ機能付記憶媒体を、利用端末ＡＢＣに装着して、配布コンテンツを取得した直後の、このセキュリティ記憶媒体の記憶情報の例を示す図。
【図６】コンテンツの利用に関する処理の流れの例を示すフローチャート。
【図７】権利取得に関する処理の流れの例を示すフローチャート。
【図８】未取得権利リストを表示した画面の例を示す図。
【図９】選択された権利の取得申請をするための画面の例を示す図。
【図１０】権利取得申請情報を説明する図。
【図１１】（Ａ）〜（Ｃ）は、会員に対して権利取得の意思確認を行うための画面遷移例を示す図。
【図１２】権利取得取止依頼に含まれる情報の例を説明する図。
【図１３】権利取得依頼に含まれる情報の例を説明する図。
【図１４】図５のセキュリティ機能付記憶媒体について、コンテンツβββを利用端末ＡＢＣで読書する権利を取得した後の様子を示す図。
【図１】
2005234631.tif 000002
【図２】
2005234631.tif 000003
【図３】
2005234631.tif 000004
【図４】
2005234631.tif 000005
【図５】
2005234631.tif 000006
【図６】
2005234631.tif 000007
【図７】
2005234631.tif 000008
【図８】
2005234631.tif 000009
【図９】
2005234631.tif 000010
【図１０】
2005234631.tif 000011
【図１１】
2005234631.tif 000012
【図１２】
2005234631.tif 000013
【図１３】
2005234631.tif 000014
【図１４】
2005234631.tif 000015